(57)【要約】【課題】  有機ＥＬ（Electro Luminescence）装置を効果的に鏡として機能させる。【解決手段】  有機ＥＬ表示装置は、画像表示モードと鏡として機能する鏡面モードを備える。鏡面モードにおいて、有機ＥＬ表示装置は、照明付きの鏡として機能する。表示領域の一部３１３、３１４を非発光状態にすることで、表示領域は鏡面効果を奏する。さらに、鏡として機能する鏡面領域に隣接する表示領域３１２にＤＣ電圧を与えることによって、その表示領域を照明として機能させる。照明領域３１２は、有機ＥＬ表示装置の鏡面としての機能をより効果的なものとすることができる。【選択図】  図３
2005332587.tif 000002
【特許請求の範囲】
【請求項１】
内部金属層を介して有機発光層に駆動電流を供給することによって発光する発光領域を有する、有機ＥＬ装置であって、前記発光領域は、
発光状態と非発光状態が切り替えられ、前記非発光状態において外部光を前記内部金属層によって鏡面反射することによって鏡として機能する、鏡面領域と、
前記有機発光層をＤＣ駆動することによって照明光を放射する、照明領域と、
を有する、有機ＥＬ装置。
【請求項２】
前記有機ＥＬ装置は、画像表示を行う第１のモードと、鏡として機能する第２のモードとを備え、
前記鏡面領域は、前記第１のモードにおいて画像表示を行い、前記第２のモードにおいて鏡面反射によって鏡として機能し、
前記照明領域は、前記第１のモードにおいて画像表示を行い、前記第２のモードにおいて照明光を放射する、
請求項１に記載の有機ＥＬ装置。
【請求項３】
前記発光領域は複数の分割領域から構成され、
前記複数の分割領域の一部の分割領域は、ＤＣ駆動によって照明光を放射し、
前記複数の分割領域の他の領域は、前記内部金属層において外部光を鏡面反射することによって鏡として機能する、
請求項１又は２に記載の有機ＥＬ装置。
【請求項４】
前記複数の分割領域から前記照明領域と前記鏡面領域を選択するコントローラをさらに備える、請求項３に記載の有機ＥＬ装置。
【請求項５】
前記発光領域は第１の方向に配列された複数の第１の電極配線層と、前記複数の第１の電極配線層と重なるように配置された複数の第２の電極配線層とによって画定され、
前記照明領域は、連続して配置された一部の前記第１の電極配線層と、前記複数の第２の電極配線層の全てによって画定される、
請求項１から４のいずれか一つに記載の有機ＥＬ装置。
【請求項６】
前記有機ＥＬ装置は、照明として機能する第１のモードと、鏡として機能する第２のモードとを備え、
前記鏡面領域は、前記第１のモードにおいてＤＣ駆動により照明光を放射し、前記第２のモードにおいて鏡面反射によって鏡として機能し、
前記照明領域は、前記第１及び第２のモードにおいてＤＣ駆動により照明光を放射する、
請求項１、３、４、５のいずれか一つに記載の有機ＥＬ装置。
【発明の詳細な説明】
【技術分野】
【０００１】
本発明は有機ＥＬ（Electro Luminescence）装置に関し、特に、鏡として機能する有機ＥＬ装置に関する。
【背景技術】
【０００２】
近年の情報通信分野における急速な技術開発の進展に伴い、ＣＲＴに代わるフラットディスプレイに大きな期待が寄せられている。なかでも有機ＥＬ（Electro Luminescence）ディスプレイは、高速応答性、視認性、輝度などの点において優れているため、盛んに研究がなされている。当初の有機ＥＬ素子構造は、有機薄膜の２層積層構造を有し、発光層にトリスアルミニウムを使用し、１０Ｖ以下の低電圧駆動によって緑色の発光を生じ、１０００ｃｄ／ｍ2の輝度が得られた。
【０００３】
最近の研究においては、正孔注入電極（陽極）と電子注入電極（陰極）に挟まれた有機層が１〜１０層程度の様々な積層型の有機ＥＬ素子が開発されている。有機ＥＬ材料に関しては、低分子を使用するもの、あるいは高分子を使用するものが研究されている。有機ＥＬ素子の製造方法としては、低分子化合物を真空蒸着法等による薄膜形成する方法のみならず、高分子系化合物をスピンコート法、インクジェット、ダイコート、フレキソ印刷といった方法で薄膜形成して有機ＥＬ素子を形成する方法が提案されている。
【０００４】
有機ＥＬ素子は、有機薄膜層を挟む陽極と陰極の間に電圧を印加することによる、電流駆動によって有機ＥＬ素子を発光させる。駆動方法としては、画素を構成する有機ＥＬ素子の選択のためにスイッチ素子を使用するアクティブ駆動、あるいは、スイッチ素子を使用しないパッシブ駆動などが知られている。有機ＥＬディスプレイは、単色発光によって表示を行うものや、部分的に異なる色で表示するエリアカラー表示、あるいは、フルカラーの表示を行うものが知られている。単色有機ＥＬディスプレイは、単色の有機ＥＬ素子を備えており、例えば、赤色、青色、緑色あるいは白色の発光を行う有機ＥＬ素子が知られている。
【０００５】
典型的には、陰極はＡｌやＬｉなどの光反射性金属で形成され、陽極はＩＴＯ（インジウム・錫・酸化物）などの透明導電膜で形成される。このため、陰極が外部からの光を反射し、画像のコントラストを低下させる。外部光反射によるコントラスト低下を抑制するため、通常の有機ＥＬ表示装置においては、基板の視認側に円偏光板が付着される。円偏光板は１／４λ板と偏光板（直線偏光板）の機能をもっており、外部から入射した光の反射光を遮断することができる。
【０００６】
一方、液晶表示装置を使用して、画像表示の他に鏡として機能する画像表示装置が提案されている。例えば特許文献１は、本来の電飾装置として使用できる他、鏡としても使用することができるバックライト式画像表示装置を提案している。バックライト式画像表示装置は、表示すべき画像が形成されている液晶表示装置（あるいは透過性印画フィルム）の他に、その前面にハーフミラー部材を備えている。液晶表示装置の背面からバックライトによって光を照射することによって、そのハーフミラー部材の前面から、ハーフミラー部材を透かして画像を観察することができる。また、バックライトの消灯時は、ハーフミラー部材を鏡として使用することができる。
【０００７】
【特許文献１】特開平１１−１５３９２号公報
【発明の開示】
【発明が解決しようとする課題】
【０００８】
上記のように、画像表示装置によって画像表示を行い、さらにそれを鏡として使用する提案がなされている。しかし、上記例のようにハーフミラーを使用する場合、液晶表示装置によって画像表示を行う場合において、表示画像の輝度が低下する問題がある。また、画像表示装置がハーフミラーを使用して鏡として機能する場合において、周辺が暗い場合には、必要な反射像を映し出すことができないという問題が発生する。
【０００９】
本発明は上記事情を背景としてなされたものであって、本発明の目的は、鏡として効果的に機能する有機ＥＬ装置を提供することである。本発明の前記ならびにその他の目的と新規な特徴は、本明細書の記述及び添付図面から明らかになるだろう。
【課題を解決するための手段】
【００１０】
以下に課題を解決するための手段を開示する。本項目において、いくつかの構成要素は、実施の形態において説明された構成要素と対応付けられている。しかし、この対応付けは発明の理解の容易のためになされたものであって、各要素は実施の形態の対応要素にのみ限定されるものでない。
【００１１】
本発明の第１の態様は、内部金属層（例えば、陰極１０４及び陰極配線）を介して有機発光層（例えば有機ＥＬ層１０３）に駆動電流を供給することによって発光する発光領域（例えば表示領域３１１）を有する、有機ＥＬ装置であって、前記発光領域は、発光状態と非発光状態が切り替えられ、前記非発光状態において外部光を前記内部金属層によって鏡面反射することによって鏡として機能する、鏡面領域（例えば、分割表示領域３１２）と、前記有機発光層をＤＣ駆動することによって照明光を放射する、照明領域（例えば、分割表示領域３１３、３１４）を有する。
【００１２】
前記有機ＥＬ装置は、画像表示を行う第１のモードと、鏡として機能する第２のモードとを備え、前記鏡面領域は、前記第１のモードにおいて画像表示を行い、前記第２のモードにおいて鏡面反射によって鏡として機能し、前記照明領域は、前記第１のモードにおいて画像表示を行い、前記第２のモードにおいて照明光を放射することが好ましい。複数のモードを備えることによって、状況に応じて有機ＥＬ装置の異なる使用法を選択することができる。
【００１３】
前記発光領域は複数の分割領域から構成され、前記複数の分割領域の一部の分割領域は、ＤＣ駆動によって照明光を放射し、前記複数の分割領域の他の領域は、前記内部金属層において外部光を鏡面反射することによって鏡として機能することが好ましい。これによって、簡便な構成で鏡面領域と照明領域を形成することができる。さらに、前記複数の分割領域から前記照明領域と前記鏡面領域を選択するコントローラ（例えば、コントローラ３３１）をさらに備えることが好ましい。照明領域と鏡面領域を選択することができるため、状況に応じた照明及び鏡面の制御を行うことができる。
【００１４】
前記発光領域は第１の方向に配列された複数の第１の電極配線層（例えば陰極配線）と、前記複数の第１の電極配線層と重なるように配置された複数の第２の電極配線層（例えば陽極配線）とによって画定され、前記照明領域は、連続して配置された一部の前記第１の電極配線層と、前記複数の第２の電極配線層の全てによって画定されることが好ましい。これによって、簡便な構成で鏡面領域と照明領域を形成することができる。
【００１５】
前記有機ＥＬ装置は、照明として機能する第１のモードと、鏡として機能する第２のモードとを備え、前記鏡面領域は、前記第１のモードにおいてＤＣ駆動により照明光を放射し、前記第２のモードにおいて鏡面反射によって鏡として機能し、前記照明領域は、前記第１及び第２のモードにおいてＤＣ駆動により照明光を放射することが好ましい。複数のモードを備えることによって、状況に応じて有機ＥＬ装置の異なる使用法を選択することができる。
【発明の効果】
【００１６】
本発明によれば、有機ＥＬ装置を効果的に鏡として機能させることができる。
【発明を実施するための最良の形態】
【００１７】
以下に、本発明を適用可能な実施の形態が説明される。以下の説明は、本発明の実施形態を説明するものであり、本発明が以下の実施形態に限定されるものではない。説明の明確化のため、以下の記載及び図面は、適宜、省略及び簡略化がなされている。又、当業者であれば、以下の実施形態の各要素を、本発明の範囲において容易に変更、追加、変換することが可能である。尚、各図面において、同一要素には同一の符号が付されており、説明の明確化のため、必要に応じて重複説明は省略されている。
【００１８】
本形態の有機ＥＬ（Electro Luminescence）表示装置は、照明付きの鏡として機能する。表示領域の一部を非発光状態にすることで、その一部の表示領域は鏡面効果を奏する。さらに、鏡として機能する鏡面領域に隣接する表示領域にＤＣ電圧を与えることによって、その表示領域を照明として機能させる。この照明領域は、有機ＥＬ表示装置の鏡面としての機能をより効果的なものとすることができる。まず、本発明の理解の容易のため、有機ＥＬ表示装置、特に画素を構成する有機ＥＬ発光素子の概略について説明する。尚、以下においてはパッシブ・マトリックスの有機ＥＬ表示装置が例として説明される。
【００１９】
有機ＥＬ表示装置は、一般に、複数の有機ＥＬ発光素子が形成された有機ＥＬ素子基板と、有機ＥＬ素子基板上の複数の有機ＥＬ発光素子を封止するための対向基板とを備えている。図１は、有機ＥＬ発光素子の一構成例の概略を示している。有機ＥＬ発光素子１００は、ガラス基板１０１と、ガラス基板１０１上に形成された陽極１０２と、陽極１０２の上に積層され、有機発光層を含む薄膜状の有機化合物（有機ＥＬ層）１０３と、有機ＥＬ層１０３の上に陽極に対向するように形成された陰極１０４を備えている。また、ガラス基板１０１に対向する封止基板１０５が、封止剤によってガラス基板１０１に固定される。封止基板１０５は、陽極１０２、有機ＥＬ層１０３及び陰極１０４を封止状態に維持し、外部から水分の浸入などを防止する。また、封止基板１０５内面上には内部の水分を捕獲する捕水剤１０６が配置される。
【００２０】
有機ＥＬ発光素子１００は、対向して設けられた陽極１０２と陰極１０４との間に配置された有機ＥＬ層１０３に電流が供給されると自発光する電流駆動型の表示素子である。有機ＥＬ層１０３は、例えば、陽極１０２側から、ＣｕＰｃ、ＮＰＤ、Ａｌｑ、ＬｉＦの各層を積層することによって構成することができる。Ａｌｑが電流を供給することによって発光する。各層の膜厚は、例えば、５０ｎｍ、２００ｎｍ、３０ｎｍ、０．５ｎｍとすることができる。
【００２１】
陽極１０２に高電位を供給し、所定の電圧を両電極間に印加し有機ＥＬ層１０３に電流を供給することによって、有機ＥＬ発光素子１００は発光する。逆に、陰極側１０４を高電位にした場合には有機ＥＬ層１０３に電流はほとんど流れず、有機ＥＬ発光素子１００は発光しない。有機ＥＬ発光素子１００を駆動する場合には、一般に定電流駆動法が用いられる。すなわち、所定の発光輝度を得るために、定電流回路を備えた駆動回路（不図示）が、有機ＥＬ発光素子に定電流を供給する。
【００２２】
一般に、陽極１０２に接続されるかまたは陽極そのものを形成する複数の陽極配線がガラス基板１０１上に平行して配置される。また、陽極配線と直交する方向に、陰極１０４に接続されるかまたは陰極そのものを形成する複数の陰極配線が平行して配置される。陽極配線と陰極配線とがマトリクス状に配置された有機ＥＬ表示装置において、陽極配線と陰極配線との交点が画素（有機発光素子）となり、画素がマトリクス状に配置されている。陰極１０４及び陰極配線はＡｌやＬｉ合金などの光反射性金属で形成され、陰極１０４及び陰極配線は光を鏡面反射する。陽極１０２及び陽極配線はＩＴＯ（インジウム・錫・酸化物）などの透明導電膜で形成される。
【００２３】
陽極配線と陰極配線とがマトリクス状に配置された有機ＥＬ表示装置を単純マトリクス駆動法によって駆動する場合、陽極配線と陰極配線とのうちのいずれか一方を走査電極とし、他方をデータ電極とする。そして、定電圧回路を備えた走査電極駆動回路を走査電極に接続し、走査電極を定電圧駆動する。そして、走査電極のうちの１本を所定の期間毎に順次に走査して選択状態とし、他の走査電極を非選択状態にする。
【００２４】
データ電極には、出力段に定電流回路が備えられたデータ電極駆動回路を接続する。そして、選択状態にある走査電極に対応する行の表示データに応じた電流を、走査に同期して各データ電極に供給する。定電流回路からデータ電極に供給された電流は、選択状態にある走査電極とデータ電極との交点に位置する有機ＥＬ層１０３を通って、選択状態にある走査電極に流れる。画素は、その画素を形成する走査電極が選択状態にあり、かつ、データ電極から電流が供給されている期間において発光する。また、データ電極からの電流の供給が停止すると発光も停止する。なお、駆動を行う際に、有機ＥＬ表示装置の陽極配線を走査電極にしてもよいしデータ電極にしてもよい。
【００２５】
上記のように、陰極１０４及び陰極配線は光反射性の金属層によって形成されており、陰極配線（及び陰極１０４）は外部からの光を鏡面反射する。特に、有機ＥＬ層１０３が自発光していない状態において、視認側に発光光が出射せずに反射光のみが出射するため、効果的な鏡面効果を奏する。本形態の有機ＥＬ表示装置は、この特性を利用して鏡として機能する。
【００２６】
典型的な有機ＥＬ表示装置は、反射金属による外光の反射を防止するため、ガラス基板１０１の外側に円偏光板を備えている。本形態の有機ＥＬ表示装置は外光を反射する鏡として機能するため、反射防止のための円偏光板はガラス基板１０１には付着されていない。電極及び電極配線の反射光は、円偏光板を介することなく視認側に出射される。尚、必要に応じて、ＵＶカット・フィルタやプリズム・フィルムなどの光学フィルムをガラス基板１０１の視認側に設けることができる。
【００２７】
図２は、本形態の有機ＥＬ表示装置を鏡として使用する場合における、表示領域２００の好ましい表示状態を示している。図２において、２０１は各画素が非発光状態にある非発光表示領域であり、２０２は各画素が自発光状態にある発光表示領域である。非発光表示領域２０１は領域内の電極が外部光を効果的に鏡面反射し、鏡として機能することができる。一方、発光表示領域２０２は自発光により所定の輝度で光を放射する。
【００２８】
このため、発光表示領域２０２が照明として機能し、非発光表示領域２０１による鏡面機能をより高めることができる。照明として機能するためには、発光表示領域２０２の輝度は大きいことが好ましい。また、非発光表示領域２０１の鏡面効果を高めるため、発光表示領域２０２はＤＣ駆動（例えばＤＣ１０Ｖ駆動）され、所定の輝度で光を放出する。
【００２９】
発光表示領域２０２は、図２に示したように、連続して配置された一部の行電極配線と、全ての列電極配線で画定されることが好ましい。これによって、発光表示領域２０２の制御を簡便に行うことができる。尚、発光表示領域２０２を、連続して配置された一部の列電極配線と、全ての行電極配線で画定することも、好ましい一例である。鏡面として機能する非発光表示領域２０１は、連続領域を広く確保することが好ましい。このため、発光表示領域２０２は、図２（ａ）、（ｂ）に示すように、表示領域端部に形成することが好ましい。
【００３０】
発光表示領域２０２の面積は、照明としての機能の観点から適切な値に設定される。また、２つもしくはそれ以上の領域に分割された発光表示領域２０２を形成することも可能である。尚、照明として機能するためには、上記好ましい態様の他、発光表示領域２０２の形状、面積などは特に限定されるものではない。
【００３１】
図３は、本形態における有機ＥＬ表示装置の概略構成を示すブロック図である。本有機ＥＬ表示装置３００は、通常の画像表示を行うモードと、照明付き鏡として機能するモードとを備えている。有機ＥＬパネル３１０は、行電極駆動回路３２１及び列電極駆動回路３２２からの駆動電圧に応じて画像表示を行い、もしくは、照明付きの鏡として機能する。画像表示モードと照明付き鏡として機能するモードとの切り替えは、コントローラ３３１が制御する。画像表示モードは従来の技術と同様であるため、以下、照明付きの鏡として機能するモードについて説明する。
【００３２】
照明付き鏡として機能するモードにおいては、有機ＥＬパネル３１０の表示領域３１１は、３つの分割表示領域３１２、３１３、３１４に分割され、分割表示領域毎に表示が制御される。一部の分割表示領域がＤＣ駆動され、他の分割表示領域は通電されずに非発光状態となる。図３の例においては、分割表示領域３１２はＤＣ駆動によって照明として機能し、他の分割表示領域３１３、３１４は非発光状態において鏡面として機能している。
【００３３】
行電極駆動回路３２１及び列電極駆動回路３２２には、電源回路３３２から必要な電圧が供給される。具体的には、行電極駆動回路３２１には、行電極の非選択電圧レベルであるＶＨ及び行電極の選択電圧レベルであるＶＳＳが供給される。また、列電極駆動回路３２２には、列電極の選択電圧レベルであるＶＤ及び列電極の非選択電圧レベルであるＶＳＳが供給される。ＶＳＳは、行電極の選択電圧レベルであり、かつ列電極の非選択電圧レベルでもある。本例においては、行電極が陰極であり、列電極が陽極となっている。
【００３４】
図３の例においては、行電極駆動回路３２１は、分割表示領域３１２に対して、選択電圧レベルＶＳＳを供給する。また、分割表示領域３１３、３１４に対しては、行電極駆動回路３２１は非選択電圧レベルＶＨを供給する。列電極駆動回路３２２は全ての分割表示領域３１２、３１３、３１４に対して、選択電圧レベルＶＤを供給する。行電極駆動回路３２１の出力が非選択電圧レベルＶＨであるため、分割表示領域３１３、３１４は非発光状態となる。
【００３５】
画像表示モードと鏡面モードの切り替え、及び鏡面モードにおける発光領域の選択（非発光領域の選択）は、外部コマンド（Command）に応じて、コントローラ３３１が制御する。鏡面モードにおいて、コントローラ３３１は、行電極駆動回路３２１及び列電極駆動回路３２２に対して、イネーブル信号（／ＥＮ）を供給し、駆動電圧の出力を制御する。各駆動回路３２１、３２２は、イネーブル信号（／ＥＮ）が「イネーブル」レベルにある場合に有機ＥＬパネル３１０に対して必要な駆動電圧を供給し、「ディスエーブル」レベルにある場合には駆動電圧を供給しない（駆動電圧は非選択レベルとなる）。
【００３６】
また、照明として機能する発光領域を選択するため、コントローラ３３１は選択信号（Ｍｕｘ）を行電極駆動回路３２１に供給する。行電極駆動回路３２１は、選択信号（Ｍｕｘ）によって特定された分割表示領域に選択電圧レベルＶＳＳを供給し、他の分割表示領域には非選択電圧レベルＶＨを供給する。３つの分割表示領域から選択するため、選択信号（Ｍｕｘ）は２ビットで構成されている。尚、本例においては、３つの分割表示領域から選択された１つの分割表示領域がＤＣ駆動によって照明として機能するが、複数の分割表示領域から選択された２以上の分割表示領域をＤＣ駆動することも、もちろん可能である。
【００３７】
次に、図４を参照して、本形態の有機ＥＬ表示装置３００の動作について説明する。図４は、有機ＥＬ表示装置の表示制御における、各信号の時間に対する変化の一例を示すタイミング・チャートである。図４において、ＣＯＭ０〜２は、行電極駆動回路３２１の出力番号を示している。ＣＯＭ０〜２のそれぞれが、分割表示領域３１２〜３１４のそれぞれに対応しており、各分割表示領域に対応する行電極を含んでいる。ＳＥＧは列電極駆動回路３２２の出力レベルを示している。
【００３８】
まず、鏡面モードへの切り替えを要求する外部コマンド（Command）が、コントローラ３３１に入力される。コマンドは、各駆動回路の出力をイネーブルとすることを要求するイネーブル・コマンドと、発光状態にセットする分割表示領域を特定する選択コマンドを含んでいる。コントローラ３３１は、外部コマンド（Command）に応答して、各駆動回路３２１、３２２へのイネーブル信号（／ＥＮ）を、ＨレベルからＬレベルに変化させ、イネーブルにセットする。また、行電極駆動回路３２１に対して選択信号（Ｍｕｘ）を供給する。図４の例において、分割表示領域３１２を選択することを示すＭｕｘ（０）を供給する。
【００３９】
出力をＯＮとすることを示すイネーブル信号（／ＥＮ）及び選択されたことを示すＭｕｘ（０）に応答して、行電極駆動回路３２１は分割表示領域３１２に選択電圧ＶＳＳを出力する。図４に示すように、出力番号ＣＯＭ０で指定される行電極の出力が非選択電圧レベル（ＶＨ）から選択電圧レベル（ＶＳＳ）に変化する。分割表示領域３１３、３１４については、行電極駆動回路３２１の出力は非選択状態のＶＨに維持される。従って、出力番号ＣＯＭ１、ＣＯＭ２で指定される行電極の出力は、ＶＨに維持される。
【００４０】
列電極駆動回路３２２は、出力をＯＮとすることを示すイネーブル信号（／ＥＮ）に応答して、列電極へ選択電圧を出力する。図４に示すように、列電極駆動回路３２２から有機ＥＬパネル３１０への出力レベル（ＳＥＧ）は、非選択電圧レベル（ＶＳＳ）から選択電圧レベル（ＶＤ）に変化する。これによって、分割表示領域３１２は発光状態となり、他の分割表示領域３１３、３１４は非発光状態に維持される。分割表示領域３１２への駆動電圧は時間変化することがなく、ＤＣ電圧よって駆動されている。
【００４１】
続いて、所定時間経過後に、新たな外部コマンドがコントローラ３３１に入力される。外部コマンドは選択コマンドを含み、発光領域をＣＯＭ０（分割表示領域３１２）からＣＯＭ２（分割表示領域３１４）に変更することを要求する。コントローラ３３１は、コマンドに応答して、行電極駆動回路３２１に対して、ＣＯＭ２の選択を示す選択信号（Ｍｕｘ２）を供給する。行電極駆動回路３２１は、選択信号（Ｍｕｘ２）に応答して出力レベルを変更する。
【００４２】
ＣＯＭ０に含まれる行電極の出力レベルを選択レベル（ＶＳＳ）から非選択電圧レベル（ＶＨ）へ変更し、ＣＯＭ２に含まれる行電極の出力レベルを非選択電圧レベル（ＶＨ）から選択電圧レベル（ＶＳＳ）へ変更する。ＣＯＭ１の出力は非選択電圧レベル（ＶＨ）に、列電極駆動回路３２２の出力は選択電圧レベル（ＶＤ）に維持される。この状態において、分割表示領域３１４が発光状態にあり、他の分割表示領域３１２、３１３は非発光状態にある。
【００４３】
続いて、鏡面モードを停止する外部コマンドがコントローラ３３１に入力される。外部コマンドは、各駆動回路の出力を禁止（ディスエーブル）とすることを要求するコマンドを含んでいる。コントローラ３３１は、入力された外部コマンドに応答して、各駆動回路３２１、３２２へのイネーブル信号（／ＥＮ）をＬレベル（イネーブル）からＨレベル（ディスエーブル）に変化させる。
【００４４】
行電極駆動回路３２１は、イネーブル信号（／ＥＮ）の変化に応答して、有機ＥＬパネル３１０への出力を変化させる。具体的には、ＣＯＭ２の出力が、選択電圧レベル（ＶＳＳ）から非選択電圧レベル（ＶＨ）に変化する。同様に、列電極駆動回路３２２は、出力レベルを選択電圧レベル（ＶＤ）から非選択電圧レベル（ＶＳＳ）に変更する。これによって、表示領域３１１全体が非発光状態となる。
【００４５】
以上のように、本実施形態によれば、有機ＥＬ表示装置において、画像表示モードと鏡面モードとを備えているので、ユーザの必要に応じてこれらを効果的に切替えて使用することができる。あるいは、有機ＥＬ表示装置が鏡として機能する場合において、一部の表示領域を照明として使用するので、鏡面による反射像のコントラストを向上することができる。また、照明として機能する表示領域を選択的に切り替えることができるので、状況に応じて照明効果を変化させることができる。
【００４６】
本実施形態においては、有機ＥＬ表示装置が画像表示を行うモードを備えているが、画像表示ではなく照明として機能する照明モードを備えることができる。例えば、照明モードにおいては、全ての表示領域がＤＣ駆動により発光状態となる。上記例において、例えば、選択信号（Ｍｕｘ３）を照明モードに割り当てることによって、簡便な構成でモードの切り替えを行うことができる。また、本例においては複数の画素から構成される表示領域が使用されているが、照明付きの鏡として機能するためには、発光表示領域及び非発光表示領域が複数の画素から構成される必要はない。
【００４７】
尚、本発明の有機ＥＬ表示装置は、上に例示したボトムエミッション型の他、トップエミッション型の有機ＥＬ表示装置を使用することも可能である。
【図面の簡単な説明】
【００４８】
【図１】本実施形態における有機ＥＬ発光素子の概略構成を示す断面図である。
【図２】本実施形態における有機ＥＬ表示装置を鏡として使用する場合における、表示領域の好ましい表示状態の例を示す図である。
【図３】本実施形態における有機ＥＬ表示装置の概略構成を示すブロック図である。
【図４】本実施形態における有機ＥＬ表示装置の表示制御における、各信号の時間に対する変化の一例を示すタイミング・チャートである。
【符号の説明】
【００４９】
１００  有機ＥＬ発光素子、１０１  ガラス基板、１０２  陽極、
１０３  有機ＥＬ層、１０４  陰極、１０５  封止基板、１０６  捕水剤、
２００  表示領域、２０１  非発光表示領域、２０２  発光表示領域、
３００  有機ＥＬ表示装置、３１０  有機ＥＬパネル、３１１  表示領域、
３１２  分割表示領域、３１３  分割表示領域、３１４  分割表示領域、
３２１  行電極駆動回路、３２２  列電極駆動回路、
３３１  コントローラ、３３２  電源回路
【図１】
2005332587.tif 000003
【図２】
2005332587.tif 000004
【図３】
2005332587.tif 000005
【図４】
2005332587.tif 000006